(57)【要約】【課題】異なる２つの方式のタッチパネルを備えた携帯端末において、入力操作の接触対象物に応じて、２通りのセキュリティのレベルを設定する。【解決手段】導電性の接触対象物を検出し、非導電性の接触対象物を検出しない第１のタッチパネルと、接触対象物を導電性／非導電性に関わらず検出する第２のタッチパネルと、を互いに重ねて配置したタッチパネル部と、表示部と、第１のタッチパネルによる第１の検出結果と第２のタッチパネルによる第２の検出結果に差異がない場合に、導電性の接触対象物が使用されたと判定し、上記差異がある場合に、非導電性の接触対象物が使用されたと判定する接触対象物判定部と、認証処理の際に、導電性／非導電性の接触対象物が使用されたことを認証の成立の条件として、それぞれ第１／第２の利用制限解除を行う利用制限解除部と、を備える。【選択図】図１
2013232033.tif 000002
【特許請求の範囲】
【請求項１】
導電性の接触対象物を検出し、非導電性の接触対象物を検出しない第１のタッチパネルと、接触対象物を導電性／非導電性に関わらず検出する第２のタッチパネルと、を互いに重ねて配置したタッチパネル部と、
画面表示を行う表示部と、
前記第１のタッチパネルによる第１の検出結果と前記第２のタッチパネルによる第２の検出結果に差異がない場合に、導電性の接触対象物が使用されたと判定し、前記第１の検出結果と前記第２の検出結果に差異がある場合に、非導電性の接触対象物が使用されたと判定する接触対象物判定部と、
認証の処理の際に、前記接触対象物判定部により導電性の接触対象物が使用されたことを認証の成立の条件として、第１の利用制限解除を行い、前記接触対象物判定部により非導電性の接触対象物が使用されたことを認証の成立の条件として、第２の利用制限解除を行う利用制限解除部と、
を備えたことを特徴とする端末装置。
【請求項２】
前記第１のタッチパネルは、静電容量方式のタッチパネルであり、
前記第２のタッチパネルは、抵抗膜方式のタッチパネルであることを特徴とする請求項１に記載の端末装置。
【請求項３】
前記利用制限解除部における前記第１の利用制限解除は、第１の期間だけ行われる利用制限の解除であり、前記第２の利用制限解除は、前記第１の期間と異なる第２の期間だけ行われる利用制限の解除であることを特徴とする請求項１または２に記載の端末装置。
【請求項４】
前記認証の処理がなされていない状態で、非導電性の接触対象物による操作入力が行われ、前記接触対象物判定部で非導電性の接触対象物が使用されたと判定された場合には、予め設定した所定の動作を実行することを特徴とする請求項１乃至３のいずれか一に記載の端末装置。
【請求項５】
前記タッチパネル部で操作入力がなされた際の接触点の面積が、所定の値よりも大きいか否かを判定する接触面積判定部を更に備え、
前記タッチパネル部で操作入力がなされ、前記接触面積判定部で前記接触点の面積が前記所定の値よりも大きいと判定された場合には、前記認証の処理を行う操作画面を所定の操作画面に変更すること、を特徴とする請求項１乃至４のいずれか一に記載の端末装置。
【請求項６】
導電性の接触対象物を検出し、非導電性の接触対象物を検出しない第１のタッチパネルと、接触対象物を導電性／非導電性に関わらず検出する第２のタッチパネルと、を互いに重ねて配置したタッチパネル部と、
画面表示を行う表示部と、
前記第１のタッチパネルによる第１の検出結果と前記第２のタッチパネルによる第２の検出結果に差異がない場合に、導電性の接触対象物が使用されたと判定し、前記第１の検出結果と前記第２の検出結果に差異がある場合に、非導電性の接触対象物が使用されたと判定する接触対象物判定部と、
使用すべき接触対象物の導電性／非導電性がいずれかに指定され、前記指定された導電性／非導電性の接触対象物により操作入力がなされた場合に、前記操作入力を受け付ける操作入力許可部と、
を備え、
前記タッチパネル部で操作入力がなされ、
前記接触対象物判定部で使用された接触対象物の導電性／非導電性が判定され、
前記操作入力許可部において、前記使用された接触対象物の導電性／非導電性と前記指定された接触対象物の導電性／非導電性とが一致した場合に、前記操作入力許可部は前記操作入力を受け付ける、ことを特徴とする端末装置。
【請求項７】
前記第１のタッチパネルは、静電容量方式のタッチパネルであり、
前記第２のタッチパネルは、抵抗膜方式のタッチパネルであることを特徴とする請求項６に記載の端末装置。
【請求項８】
前記タッチパネル部の特定領域において、前記使用すべき接触対象物の導電性／非導電性が指定されることを特徴とする請求項６または７に記載の端末装置。
【請求項９】
導電性の接触対象物を検出し、非導電性の接触対象物を検出しない第１のタッチパネルと、接触対象物を導電性／非導電性に関わらず検出する第２のタッチパネルと、を互いに重ねて配置したタッチパネル部を有する端末装置の制御方法であって、
前記タッチパネル部において、認証の処理を行うステップと、
前記認証の処理が行われた際の前記第１のタッチパネルによる第１の検出結果と前記第２のタッチパネルによる第２の検出結果に差異がない場合に、導電性の接触対象物が使用されたと判定し、前記第１の検出結果と前記第２の検出結果に差異がある場合に、非導電性の接触対象物が使用されたと判定する判定ステップと、
前記判定ステップで、導電性の接触対象物が使用されたと判定された場合には、第１の利用制限解除を行い、非導電性の接触対象物が使用されたと判定された場合には、前記第１の利用制限解除と異なる第２の利用制限解除を行うステップと、
を含む端末装置の制御方法。
【請求項１０】
導電性の接触対象物を検出し、非導電性の接触対象物を検出しない第１のタッチパネルと、接触対象物を導電性／非導電性に関わらず検出する第２のタッチパネルと、を互いに重ねて配置したタッチパネル部を有する端末装置の制御方法であって、
使用すべき接触対象物の導電性／非導電性を指定する接触対象物指定ステップと、
操作入力がなされた際の前記第１のタッチパネルによる第１の検出結果と前記第２のタッチパネルによる第２の検出結果に差異がない場合に、導電性の接触対象物が使用されたと判定し、前記第１の検出結果と前記第２の検出結果に差異がある場合に、非導電性の接触対象物が使用されたと判定する判定ステップと、
前記判定ステップで判定された接触対象物の導電性／非導電性と、前記接触対象物指定ステップで指定された接触対象物の導電性／非導電性とが一致した場合に、前記操作入力を受け付けるステップと、
を含む端末装置の制御方法。
【発明の詳細な説明】
【技術分野】
【０００１】
本発明は、端末装置、及び端末装置の制御方法に関する。特に、本発明は、複数方式のタッチパネルを備えた端末装置、及びその制御方法に関する。
【背景技術】
【０００２】
近年、端末装置の入力装置としてタッチパネルが用いられるようになり、ユーザは、タッチパネルの表面を指やペンで、押下又は接触することで、入力操作を行うことが可能になっている。
【０００３】
さらには、幅広い入力手段による操作を可能にするため、複数方式のタッチパネルを備えた端末装置が提案されている。
【０００４】
例えば、特許文献１には、抵抗膜方式のタッチパネルと静電容量方式のタッチパネルを重ねて配置する構成が開示されている。このタッチパネルを、素手で操作した場合には両方の方式で検出可能であるのに対し、指サックで操作した場合には抵抗膜方式でのみ検出可能である。このような検出結果の違いにより、素手と指サックによる２種類の押下状態を検出することが可能になる。
【０００５】
また、特許文献２においても、抵抗膜方式のタッチパネルと静電容量方式のタッチパネルを重ねて配置する構成が開示されている。このタッチパネルでは、抵抗膜方式のタッチパネルは、静電容量方式のタッチパネルで接触あるいは近接があるまでの間、入力検出を行わない待機状態にあり、静電容量方式のタッチパネルに対する接触あるいは近接によって、入力検出を行う稼動状態に移行するようにしている。これにより、消費電力を低減したタッチパネルを提供することができる。
【先行技術文献】
【特許文献】
【０００６】
【特許文献１】特開平７−３３４３０８号公報
【特許文献２】特開２００９−１１６８４９号公報
【特許文献３】特開２００８−１９１４６５号公報
【発明の概要】
【発明が解決しようとする課題】
【０００７】
以下の分析は、本発明により与えられる。
【０００８】
タッチパネルを備えた端末装置では、ロック解除画面でユーザに暗証番号を入力させることによりセキュリティを保持する仕組みを有しているが、ユーザが頻繁に同じ暗証番号を入力すると、痕跡がタッチパネル表面に残り、暗証番号が推測されやすく、セキュリティ確保が難しいという問題が生じている。上記特許文献１、２に記載された複数方式によるタッチパネルでは、入力操作の接触対象物を判別し、判別された接触対象物に応じて複雑な操作を行うことが可能であるとしているが、上記したセキュリティ低下の問題に対しては、何ら検討がなされていない。
【０００９】
そこで、本発明は、異なる２つの方式のタッチパネルを備えた端末装置において、入力操作の接触対象物に応じて、２通りのセキュリティのレベルを設定することが可能な端末装置を提供することを課題とする。
【課題を解決するための手段】
【００１０】
本発明の第１の視点による端末装置は、以下の構成要素を含む。即ち、該端末装置は、導電性の接触対象物を検出し、非導電性の接触対象物を検出しない第１のタッチパネルと、接触対象物を導電性／非導電性に関わらず検出する第２のタッチパネルと、を互いに重ねて配置したタッチパネル部を含む。また、該端末装置は、画面表示を行う表示部を含む。また、該端末装置は、前記第１のタッチパネルによる第１の検出結果と前記第２のタッチパネルによる第２の検出結果に差異がない場合に、導電性の接触対象物が使用されたと判定し、前記第１の検出結果と前記第２の検出結果に差異がある場合に、非導電性の接触対象物が使用されたと判定する接触対象物判定部を含む。さらに、該端末装置は、認証の処理の際に、前記接触対象物判定部により導電性の接触対象物が使用されたことを認証の成立の条件として、第１の利用制限解除を行い、前記接触対象物判定部により非導電性の接触対象物が使用されたことを認証の成立の条件として、第２の利用制限解除を行う利用制限解除部を含む。
【００１１】
本発明の第２の視点による端末装置は、以下の構成要素を含む。即ち、該端末装置は、導電性の接触対象物を検出し、非導電性の接触対象物を検出しない第１のタッチパネルと、接触対象物を導電性／非導電性に関わらず検出する第２のタッチパネルと、を互いに重ねて配置したタッチパネル部を含む。また、該端末装置は、画面表示を行う表示部を含む。また、該端末装置は、前記第１のタッチパネルによる第１の検出結果と前記第２のタッチパネルによる第２の検出結果に差異がない場合に、導電性の接触対象物が使用されたと判定し、前記第１の検出結果と前記第２の検出結果に差異がある場合に、非導電性の接触対象物が使用されたと判定する接触対象物判定部を含む。さらに、該端末装置は、使用すべき接触対象物の導電性／非導電性がいずれかに指定され、前記指定された導電性／非導電性の接触対象物により操作入力がなされた場合に、前記操作入力を受け付ける操作入力許可部を含む。そして、前記タッチパネル部で操作入力がなされ、前記接触対象物判定部で使用された接触対象物の導電性／非導電性が判定され、前記操作入力許可部において、前記使用された接触対象物の導電性／非導電性と前記指定された接触対象物の導電性／非導電性とが一致した場合に、前記操作入力許可部は前記操作入力を受け付ける。
【００１２】
本発明の第３の視点による端末装置の制御方法は、導電性の接触対象物を検出し、非導電性の接触対象物を検出しない第１のタッチパネルと、接触対象物を導電性／非導電性に関わらず検出する第２のタッチパネルと、を互いに重ねて配置したタッチパネル部を有する端末装置の制御方法であって、以下のステップを含む。即ち、該端末装置の制御方法は、前記タッチパネル部において、認証の処理を行うステップを含む。また、該端末装置の制御方法は、前記認証の処理が行われる際の前記第１のタッチパネルによる第１の検出結果と前記第２のタッチパネルによる第２の検出結果に差異がない場合に、導電性の接触対象物が使用されたと判定し、前記第１の検出結果と前記第２の検出結果に差異がある場合に、非導電性の接触対象物が使用されたと判定する判定ステップを含む。さらに、該端末装置の制御方法は、前記判定ステップで、導電性の接触対象物が使用されたと判定された場合には、第１の利用制限解除を行い、非導電性の接触対象物が使用されたと判定された場合には、前記第１の利用制限解除と異なる第２の利用制限解除を行うステップを含む。
【００１３】
本発明の第４の視点による端末装置の制御方法は、導電性の接触対象物を検出し、非導電性の接触対象物を検出しない第１のタッチパネルと、接触対象物を導電性／非導電性に関わらず検出する第２のタッチパネルと、を互いに重ねて配置したタッチパネル部を有する端末装置の制御方法であって、以下のステップを含む。即ち、該端末装置の制御方法は、使用すべき接触対象物の導電性／非導電性を指定する接触対象物指定ステップを含む。また、該端末装置の制御方法は、操作入力がなされた際の前記第１のタッチパネルによる第１の検出結果と前記第２のタッチパネルによる第２の検出結果に差異がない場合に、導電性の接触対象物が使用されたと判定し、前記第１の検出結果と前記第２の検出結果に差異がある場合に、非導電性の接触対象物が使用されたと判定する判定ステップを含む。さらに、該端末装置の制御方法は、前記判定ステップで判定された接触対象物の導電性／非導電性と、前記接触対象物指定ステップで指定された接触対象物の導電性／非導電性とが一致した場合に、前記操作入力を受け付けるステップを含む。
【発明の効果】
【００１４】
本発明の端末装置によれば、異なる２つの方式のタッチパネルを備えた端末装置において、入力操作の接触対象物を判別し、判別した接触対象物に応じて、２通りのセキュリティのレベルを設定することが可能な端末装置を提供することが可能になる。
【図面の簡単な説明】
【００１５】
【図１】本発明の第１の実施形態の概要を示すブロック図である。
【図２】本発明の第１の実施形態に係る端末装置において利用制限解除に関連した箇所の構成を示すブロック図である。
【図３】本発明の第１の実施形態に係る端末装置の概略構成を示すブロック図である。
【図４】本発明の第１の実施形態に係る端末装置における利用制限解除の動作を示すフローチャートである。
【図５】本発明の第１の実施形態に係る端末装置のタッチパネル部と表示部の構成を模式的に示す図である。
【図６】本発明の第１の実施形態における導電性及び非導電性の接触対象物の一例を示す図である。
【図７】本発明の第１の実施形態に係る端末装置のロック解除画面の一例を示す図である。
【図８】本発明の第１の実施形態の変形例１に係る端末装置において利用制限解除に関連した箇所の構成を示すブロック図である。
【図９】本発明の第１の実施形態の変形例２に係る端末装置において利用制限解除に関連した箇所の構成を示すブロック図である。
【図１０】本発明の第１の実施形態の変形例３に係る端末装置において利用制限解除に関連した箇所の構成を示すブロック図である。
【図１１】本発明の第１の実施形態の変形例４に係る端末装置において利用制限解除に関連した箇所の構成を示すブロック図である。
【図１２】本発明の第１の実施形態の変形例５に係る端末装置において利用制限解除に関連した箇所の構成を示すブロック図である。
【図１３】本発明の第１の実施形態の変形例６に係る端末装置において利用制限解除に関連した箇所の構成を示すブロック図である。
【図１４】本発明の第１の実施形態の変形例７に係る端末装置における利用制限解除の動作を示すフローチャートである。
【図１５】本発明の第２の実施形態の概要を示すブロック図である。
【図１６】本発明の第２の実施形態に係る端末装置において操作入力許可に関連した箇所の構成を示すブロック図である。
【図１７】本発明の第２の実施形態に係る端末装置における操作入力許可の動作を示すフローチャートである。
【図１８】本発明の第２の実施形態の変形例１に係る端末装置において操作入力許可に関連した箇所の構成を示すブロック図である。
【図１９】本発明の第２の実施形態の変形例２に係る端末装置において操作入力許可に関連した箇所の構成を示すブロック図である。
【図２０】本発明の第３の実施形態に係る端末装置において利用制限解除に関連した箇所の構成を示すブロック図である。
【図２１】本発明の第４の実施形態に係る端末装置のタッチパネル部と表示部の構成を模式的に示す図である。
【発明を実施するための形態】
【００１６】
まず、本発明の実施形態の概要について説明する。なお、実施形態の概要の説明において付記した図面参照符号は専ら理解を助けるための例示であり、図示の態様に限定することを意図するものではない。
【００１７】
本発明の一実施形態における端末装置１は、図１に示すように、以下の構成要素を含む。即ち、該端末装置１は、導電性の接触対象物９１を検出し、非導電性の接触対象物９２を検出しない第１のタッチパネル１１と、接触対象物を導電性／非導電性に関わらず検出する第２のタッチパネル１２と、を互いに重ねて配置したタッチパネル部１０を含む。また、該端末装置１は、画面表示を行う表示部１３を含む。また、該端末装置１は、第１のタッチパネル１１による第１の検出結果Ｃ１と第２のタッチパネル１２による第２の検出結果Ｃ２に差異がない場合に、導電性の接触対象物９１が使用されたと判定し、第１の検出結果Ｃ１と第２の検出結果Ｃ２に差異がある場合に、非導電性の接触対象物９２が使用されたと判定する接触対象物判定部１４を含む。さらに、該端末装置１は、認証の処理の際に、接触対象物判定部１４により導電性の接触対象物９１が使用されたことを認証の成立の条件として、第１の利用制限解除を行い、接触対象物判定部１４により非導電性の接触対象物９２が使用されたことを認証の成立の条件として、第２の利用制限解除を行う利用制限解除部１６を含む。
【００１８】
上記の構成により、タッチパネル部１０で認証の処理を行う際に、使用する接触対象物の導電性／非導電性を適宜選択することにより、同一の認証コードＣ０（例えば、パスワード）だけが設定されているにもかかわらず、それぞれ異なるセキュリティレベルの利用制限解除（第１の利用制限解除と第２の利用制限解除）を行うことができるようになる。
【００１９】
上記端末装置１において、図５に示すように、第１のタッチパネル１１は、静電容量方式のタッチパネルであり、第２のタッチパネル１２は、抵抗膜方式のタッチパネルとしてもよい。
【００２０】
上記端末装置１において、図８に示すように、利用制限解除部３１における第１の利用制限解除は、第１の期間だけ行われる利用制限の解除（図８のＣ９の第１の期間の利用制限解除に相当する）であり、第２の利用制限解除は、第１の期間と異なる第２の期間だけ行われる利用制限の解除（図８のＣ９の第２の期間の利用制限解除に相当する）であるようにしてもよい。
【００２１】
上記端末装置１で、図１１に示すように、認証の処理がなされていない状態で、非導電性の接触対象物９２による操作入力が行われ、接触対象物判定部１４で非導電性の接触対象物９２が使用されたと判定された場合には、予め設定した所定の動作を実行するようにしてもよい。
【００２２】
上記端末装置１において、図１３に示すように、タッチパネル部１０で操作入力がなされた際の接触点の面積が、所定の値よりも大きいか否かを判定する接触面積判定部３６を更に備え、タッチパネル部１０で操作入力がなされ、接触面積判定部３６で接触点の面積が所定の値よりも大きいと判定された場合には、認証の処理を行う操作画面を所定の操作画面に変更するようにしてもよい。
【００２３】
本発明の別の実施形態における端末装置１０１は、図１５に示すように、以下の構成要素を含む。即ち、該端末装置は、導電性の接触対象物９１を検出し、非導電性の接触対象物９２を検出しない第１のタッチパネル１１と、接触対象物を導電性／非導電性に関わらず検出する第２のタッチパネル１２と、を互いに重ねて配置したタッチパネル部１０を含む。また、該端末装置１０１は、画面表示を行う表示部１３を含む。また、該端末装置１０１は、第１のタッチパネル１１による第１の検出結果Ｃ１と第２のタッチパネル１２による第２の検出結果Ｃ２に差異がない場合に、導電性の接触対象物９１が使用されたと判定し、第１の検出結果Ｃ１と第２の検出結果Ｃ２に差異がある場合に、非導電性の接触対象物９２が使用されたと判定する接触対象物判定部１４を含む。さらに、該端末装置１０１は、使用すべき接触対象物の導電性／非導電性がいずれかに指定され（図１６の指定された接触対象物の導電性／非導電性Ｃ５に相当）、指定された導電性／非導電性の接触対象物により操作入力がなされた場合に、操作入力を受け付ける操作入力許可部１７を含む。そして、タッチパネル部１０で操作入力がなされ、接触対象物判定部１４で使用された接触対象物の導電性／非導電性Ｃ３が判定され、操作入力許可部１７において、使用された接触対象物の導電性／非導電性Ｃ３と指定された接触対象物の導電性／非導電性Ｃ５とが一致した場合に、操作入力許可部１７は操作入力を受け付ける。
【００２４】
上記端末装置１０１において、図５に示すように、第１のタッチパネル１１は、静電容量方式のタッチパネルであり、第２のタッチパネル１２は、抵抗膜方式のタッチパネルとしてもよい。
【００２５】
上記端末装置１０１において、図１９に示すように、タッチパネル部１０の特定領域において、使用すべき接触対象物の導電性／非導電性が指定されるようにしてもよい。
【００２６】
本発明のさらに別の実施形態における端末装置の制御方法は、図４、図２に示すように、導電性の接触対象物９１を検出し、非導電性の接触対象物９２を検出しない第１のタッチパネル１１と、接触対象物を導電性／非導電性に関わらず検出する第２のタッチパネル１２と、を互いに重ねて配置したタッチパネル部１０を有する端末装置１の制御方法であって、以下のステップを含む。即ち、該端末装置１の制御方法は、タッチパネル部１０において、認証の処理を行うステップ（Ｓ１）を含む。また、該端末装置１の制御方法は、認証の処理が行われる際の第１のタッチパネル１１による第１の検出結果Ｃ１と第２のタッチパネル１２による第２の検出結果Ｃ２に差異がない場合に、導電性の接触対象物９１が使用されたと判定し、第１の検出結果Ｃ１と第２の検出結果Ｃ２に差異がある場合に、非導電性の接触対象物９２が使用されたと判定する判定ステップ（Ｓ３、Ｓ４、Ｓ５）を含む。さらに、該端末装置１の制御方法は、判定ステップ（Ｓ３、Ｓ４、Ｓ５）で、導電性の接触対象物９１が使用されたと判定された場合には、第１の利用制限解除を行い、非導電性の接触対象物９２が使用されたと判定された場合には、第１の利用制限解除と異なる第２の利用制限解除を行うステップ（Ｓ６、Ｓ７）を含む。
【００２７】
本発明のさらに別の実施形態における端末装置の制御方法は、図１７、図１６に示すように、導電性の接触対象物９１を検出し、非導電性の接触対象物９２を検出しない第１のタッチパネル１１と、接触対象物を導電性／非導電性に関わらず検出する第２のタッチパネル１２と、を互いに重ねて配置したタッチパネル部１０を有する端末装置１０１の制御方法であって、以下のステップを含む。即ち、該端末装置１０１の制御方法は、使用すべき接触対象物の導電性／非導電性を指定する接触対象物指定ステップ（Ｓ１１）を含む。また、該端末装置１０１の制御方法は、操作入力がなされた際の第１のタッチパネル１１による第１の検出結果Ｃ１と第２のタッチパネル１２による第２の検出結果Ｃ２に差異がない場合に、導電性の接触対象物９１が使用されたと判定し、第１の検出結果Ｃ１と第２の検出結果Ｃ２に差異がある場合に、非導電性の接触対象物９２が使用されたと判定する判定ステップ（Ｓ１３、Ｓ１４、Ｓ１５）を含む。さらに、該端末装置１０１の制御方法は、判定ステップ（Ｓ１３、Ｓ１４、Ｓ１５）で判定された接触対象物の導電性／非導電性と、接触対象物指定ステップ(Ｓ１１)で指定された接触対象物の導電性／非導電性とが一致した場合に（Ｓ１６）、操作入力を受け付けるステップ（Ｓ１７）を含む。
【００２８】
以下、本発明の各実施形態について、図面を参照して詳しく説明する。
【００２９】
［第１の実施形態］
（第１の実施形態の構成）
第１の実施形態にについて、図面を参照しながら詳細に説明する。図３は第１の実施形態に係る端末装置１の概略構成を示すブロック図である。図３において、端末装置１は、タッチパネル部１０と表示部１３が重ねて配置され、ユーザは表示部１３で表示された画面を見ながらタッチパネル部１０で入力操作を行うスマートフォン型の端末装置１である。また、図２において、タッチパネル部１０と表示部１３は、それぞれ、タッチパネル制御部９と表示制御部８で制御される。端末装置１は、さらに、送受信部４、記憶部３、音声処理部５、マイク６、スピーカ７、及び制御部２を備え、それらにより通常の携帯電話としての機能を果たしている。制御部２は、不図示のＣＰＵ（Ｃｅｎｔｒａｌ  Ｐｒｏｃｅｓｓｉｎｇ  Ｕｎｉｔ）を有し、記憶部３に格納されたプログラムやデータを適宜呼び出して、端末装置１の全体を制御している。
【００３０】
次に、図５は、タッチパネル部１０と表示部１３の構成を模式的に示した図である。第１の実施形態の端末装置１は、互いに重ねて配置された２つの異なる方式のタッチパネルを有している。具体的には、端末装置１は、図５に示すように、静電容量方式タッチパネル１１（第１のタッチパネル）と抵抗膜方式タッチパネル１２（第２のタッチパネル）を有しており、表示部１３を照射するバックライト側から、表示部１３、抵抗膜方式タッチパネル１２、静電容量方式タッチパネル１１の順に配置されている。従って、ユーザが入力操作する入力操作面１５は、静電容量方式タッチパネル１１の上面になる。同様な構成が、例えば、特許文献１に開示されている（特許文献１の図３）。
【００３１】
静電容量方式タッチパネル（第１のタッチパネル）１１は、導電性の接触対象物の接触とその接触点を出力する。一方、抵抗膜方式タッチパネル（第２のタッチパネル）１２は、接触対象物の導電性の有無によらずに、物質による接触とその接触点を出力する。第１の実施形態では、このように検出特性の異なる２つのタッチパネルを使用することによって、入力操作に使用した接触対象物が、導電性の接触対象物と非導電性の接触対象物のうち、いずれであるかを判定している。
【００３２】
次に、図６はタッチパネル部１０で操作入力する際の接触対象物の一例を示している。図６（Ａ）は、導電性の接触対象物の一例として、指９１を示している。また、図６（Ｂ）は、非導電性の接触対象物の一例として、ペン９２を示している。ペン９２は、「スタイラスペン」と言われているもので、ＰＤＡ（Ｐｅｒｓｏｎａｌ  Ｄａｔａ  Ａｓｓｉｓｔａｎｔｓ）、ゲーム機、タブレット端末等に広く使用されているものと同様のものである。但し、導電性の接触対象物、非導電性の接触対象物は、図６（Ａ）、（Ｂ）の例示に限定されない。即ち、導電性の接触対象物として任意の導電性物質、非導電性の接触対象物として任意の非導電性物質によるものが、適用可能である。例えば、導電性の接触対象物として、先端部が金属で形成されているスタイラスペン等が適用可能である。また、非導電性の接触対象物として、指サックを装着した指、手袋をした指等が適用可能である。
【００３３】
次に、図７は端末装置１のタッチパネル部１０によるロック解除画面の一例を示している。図７（Ａ）は、ロック解除画面で、パスワード入力領域９３に、パスワードを入力し、予め設定したパスワードと一致した場合に、所定の利用制限を解除するものである。パスワードは、１以上の文字、１以上の数字、或いは１以上の文字と１以上の数字の組み合わせによるものであり、予めユーザによって設定される。
【００３４】
次に、図７（Ｂ）は、ロック解除画面で、パターン入力領域９４において、順番にパターンをなぞっていき、なぞった経路が、予め設定された経路を一致した場合に、利用制限を解除するものである。尚、本明細書で、以降「パスワード」と言った場合は、図７（Ｂ）の方式で入力するものも含むこととする。
【００３５】
次に、第１の実施形態におけるパスワード入力と、それによる利用制限解除について、図２を参照しながら、詳細に説明する。図２は、第１の実施形態に係る端末装置１において利用制限解除に関連した箇所の構成を示すブロック図である。端末装置１における利用制限解除に関連した箇所は、図２に示すように、タッチパネル部１０と、第１の検出部２１と、第２の検出部２２と、接触対象物判定部１４と、利用制限解除部１６を含んで構成される。図２の第１の検出部２１及び第２の検出部２２は、図３のタッチパネル制御部９の内部に含まれる。また、図２の接触対象物判定部１４及び利用制限解除部１６は、図３の制御部２が有するＣＰＵによって、実行されるプログラムである。但し、それに限定されず、接触対象物判定部１４及び利用制限解除部１６の一部又は全部を、ハードウェアで構成するようにしてもよい。
【００３６】
図２の各部について詳細に説明する。タッチパネル部１０では、図７のロック解除画面が表示された状態で、指９１又はペン９２によりパスワードが入力される。静電容量方式タッチパネル（第１のタッチパネル）１１の出力、抵抗膜方式タッチパネル（第２のタッチパネル）１２の出力は、それぞれ、第１の検出部２１、第２の検出部２２に供給される。具体的には、第１及び第２のタッチパネル１１、１２からそれぞれ、押下されたことを示す信号と、押下された座標とが、第１及び第２の検出部２１、２２に送信される。ここで、押下されたことを示す信号は、押下されていないときはＬｏｗレベルで、押下されたときにＨｉｇｈレベルに遷移するパルス状の信号である。
【００３７】
次に、第１の検出部２１は、第１のタッチパネル１１から送信された押下された座標を対応する文字コード（数字、記号も含まれる）に変換する。そして、第１の検出結果Ｃ１として、押下されたことを示す信号と、対応する文字コードとを、接触対象物判定部１４及び利用制限解除部１６へ供給する。
【００３８】
同様に、第２の検出部２２は、第２のタッチパネル１２から送信された押下された座標を対応する文字コード（数字、記号も含まれる）に変換する。そして、第２の検出結果Ｃ２として、押下されたことを示す信号と、対応する文字コードとを、接触対象物判定部１４及び利用制限解除部１６へ供給する。
【００３９】
次に、利用制限解除部１６は、第１の検出結果Ｃ１及び第２の検出結果Ｃ２を入力する。利用制限解除部１６は、第１の検出結果Ｃ１又は第２の検出結果Ｃ２に含まれるパスワードの文字コードが、予め設定された同一のパスワードＣ０と一致するか否かを判定する。そして、パスワードＣ０と一致しなかった場合は、認証は成立しない。
【００４０】
一方、パスワードＣ０と一致した場合は、接触対象物判定部１４において、第１の検出結果Ｃ１と第２の検出結果Ｃ２に差異があるか否かを判定する。具体的には、まず、第１の検出結果Ｃ１に含まれる押下されたことを示す信号と、第２の検出結果Ｃ２に含まれる押下されたことを示す信号とが、共通してＨｉｇｈレベルになっているか否かを判定する。共通してＨｉｇｈレベルになっている場合には、第１の検出結果Ｃ１と第２の検出結果Ｃ２に差異がないと判定される。また、それ以外の場合には、第１の検出結果Ｃ１と第２の検出結果Ｃ２に差異があると判定される。
【００４１】
パスワードを指（導電性の接触対象物）９１で押下した場合には、第１のタッチパネル１１と第２のタッチパネル１２において、どちらも検出がなされ、押下されたことを示す信号が共通してＨｉｇｈレベルになるので、接触対象物判定部１４は、第１の検出結果Ｃ１と第２の検出結果Ｃ２に差異がないと判定し、導電性の接触対象物９１が使用されたと判定する。一方、パスワードをペン（非導電性の接触対象物）９２で押下した場合には、第１のタッチパネル１１では検出されず、第２のタッチパネル１２では検出される。その結果、押下されたことを示す信号が共通してＨｉｇｈレベルにならないので、接触対象物判定部１４は、第１の検出結果Ｃ１と第２の検出結果Ｃ２に差異があると判定し、非導電性の接触対象物９２が使用されたと判定する。
【００４２】
次に、利用制限解除部１６は、接触対象物判定部１４が出力する「使用された接触対象物の導電性／非導電性」を示す信号Ｃ３を入力する。そして、信号Ｃ３により導電性の接触対象物９１が使用されたことを認証の成立の条件として第１の利用制限解除を指示する信号Ｃ４を出力する。また、信号Ｃ３により非導電性の接触対象物９２が使用されたことを認証の成立の条件として第２の利用制限解除を指示する信号Ｃ４を出力する。
【００４３】
第１／第２の利用制限解除を指示する信号Ｃ４は、図３の制御部２に送信され、制御部２は、予め設定された第１／第２の利用制限解除の内容に基づいて、利用制限解除を行う。第１の利用制限解除としては、例えば、ブラウジング機能の利用制限の解除が設定される。また、第２の利用制限解除としては、例えば、保存データの閲覧制限の解除が設定される。但し、これらに限定されず、第１／第２の利用制限解除として、任意の設定を行うことが可能である。
【００４４】
次に、図４を参照しながら、第１の実施形態の動作について詳細に説明する。図４は、本発明の第１の実施形態に係る端末装置１における利用制限解除の動作を示すフローチャートである。予め、パスワードＣ０として、「１２３４」が設定されているとする。また、予め、第１／第２の利用制限解除の内容として、前述したように、それぞれブラウジング機能の利用制限の解除、保存データの閲覧制限の解除が設定されているとする。
【００４５】
以上の設定が行われた状態で、図７（Ａ）のロック解除画面が表示部１３で表示され、タッチパネル部１０でパスワード入力領域９３に、ユーザがパスワード「１２３４」を指９１で押下したとする（Ｓ１）。この場合、第１の検出結果Ｃ１と第２の検出結果Ｃ２は一致し、どちらもパスワード「１２３４」の文字コードを含んだ状態になっている。
【００４６】
次に、利用制限解除部１６において、入力したパスワード「１２３４」が、予め設定されたパスワードＣ０と一致するか否かを判定する（Ｓ２）。ステップＳ２において、パスワードが一致すると判定され（Ｓ２で、Ｙｅｓと判定され）、次に、第１の検出結果Ｃ１と第２の検出結果Ｃ２に差があるか否かを判定する（Ｓ３）。前述したように、指９１で押下した場合は、第１の検出結果Ｃ１と第２の検出結果Ｃ２は一致するので、接触対象物判定部１４は、ステップＳ３では差がないと判定し（Ｓ２で、Ｎｏと判定し）、導電性の接触対象物９１が使用されたと判定する（Ｓ４）。
【００４７】
そして、利用制限解除部１６では、パスワードが一致し、且つ、接触対象物判定部１４から導電性の接触対象物９１が使用されたという情報を得て、第１の利用制限解除を指示する信号Ｃ４を出力する（Ｓ６）。制御部２は、信号Ｃ４によりブラウジング機能の利用制限を解除する。これにより、ユーザがブラウジング機能を有するアプリケーションを起動すると、制御部２は該アプリケーションに対して、実行を許可する信号を発行し、ブラウジング機能が実行される。
【００４８】
次に、図７（Ａ）のロック解除画面で、タッチパネル部１０でパスワード入力領域９３に、ユーザがパスワード「１２３４」をペン９２で押下したとする（Ｓ１）。この場合には、第１の検出結果Ｃ１と第２の検出結果Ｃ２は一致せず、第２の検出結果Ｃ２のみがパスワード「１２３４」の文字コードを含んでいる。
【００４９】
次に、利用制限解除部１６において、入力したパスワード「１２３４」が、予め設定されたパスワードＣ０と一致するか否かを判定する（Ｓ２）。ステップＳ２において、パスワードが一致すると判定され（Ｓ２で、Ｙｅｓと判定され）、次に、第１の検出結果Ｃ１と第２の検出結果Ｃ２に差があるか否かを判定する（Ｓ３）。前述したように、ペン９２で押下した場合には、第１の検出結果Ｃ１と第２の検出結果Ｃ２は一致しないので、接触対象物判定部１４は、ステップＳ３では差があると判定し（Ｓ２で、Ｙｅｓと判定し）、非導電性の接触対象物９２が使用されたと判定する（Ｓ５）。
【００５０】
そして、利用制限解除部１６では、パスワードが一致し、且つ、接触対象物判定部１４から非導電性の接触対象物９２が使用されたという情報を得て、第２の利用制限解除を指示する信号Ｃ４を出力する（Ｓ７）。制御部２は、信号Ｃ４により保存データの閲覧制限を解除する。すなわち、ユーザが所定の保存データをアクセスするためのアクセス権が、制御部２から与えられ、ユーザは、所定の保存データを閲覧することができる。
【００５１】
以上説明したように、第１の実施形態に係る端末装置１によれば、２つの異なる方式のタッチパネルを備えた端末装置において、入力操作の接触対象物の導電性／非導電性を判別するようにし、判別した接触対象物の導電性／非導電性に応じて、２通りのセキュリティのレベルを変更することが可能な端末装置を提供することが可能になる。例えば、指９１によりパスワード入力することにより解除される第１の利用制限解除は、セキュリティレベルの低い機能のみを解除するようにし、ペン９２によりパスワード入力することにより解除される第２の利用制限解除は、セキュリティレベルの高い機能について解除するように設定することにより、同一のパスワードで、異なるセキュリティレベルの設定・解除を行うことが可能になる。
【００５２】
従来、２通りのセキュリティレベルを設定しようとした場合には、各々のセキュリティレベルに対して、異なるパスワードを設定する必要があった。そのため、ユーザは、２つのパスワードを覚えておかなければならないが、普段あまり使わないほうのパスワードは忘れやすく、高いセキュリティを有する機能があっても利用させることが少なく、結果として高いセキュリティを保持することが難しいという問題がある。一方、第１の実施形態では、同一のパスワードで済むため、上記したパスワード忘れの問題は発生しない。
【００５３】
また、タッチパネル方式のロック解除画面では、ユーザが頻繁に同じパスワードを入力すると、痕跡がタッチパネル表面に残り、パスワードが推測されやすく、セキュリティ確保が難しいという問題が生じている。しかしながら、第１の実施形態に係る端末装置１によれば、悪意のある第３者にパスワードが推測されたとしても、パスワードは、指９１で入力するものであるという常識から、ペン９２でパスワード入力することまでは行われない可能性があり、ビジネス文書等のように秘匿性の高いデータに対するアクセスは、ペン９２のパスワード入力を必要とするように設定しておくことにより、セキュリティを確保することができる。一方、ＮＦＣ（Ｎｅａｒ  Ｆｉｅｌｄ  Ｃｏｍｍｕｎｉｃａｔｉｏｎ）の解除等のように緊急性が高いものや、秘匿性の低いデータのアクセスに関しては、指９１のパスワード入力で利用制限が解除されるようにしておくと、ユーザは簡易にアクセスできるので便利である。
【００５４】
尚、第１の実施形態では、パスワード入力に使用された接触対象物の導電性／非導電性に応じて、それぞれ第１の利用制限解除と第２の利用制限解除が行われる場合について説明したが、第１／第２の利用制限解除のうち、少なくとも一方は、利用制限解除を行わないようにしてもよい。例えば、パスワードを指９１で入力した場合には、利用制限解除が行わないようにし、パスワードをペン９２で入力した場合にのみ利用制限解除が行われるようにしてもよい。
【００５５】
また、第１／第２の利用制限解除のうち、少なくとも一方は、全ての利用制限解除を行うようにしてもよい。例えば、パスワードをペン９２で入力した場合に、全ての利用制限解除を行うように設定してもよい。
【００５６】
（第１の実施形態の変形例１）
次に、第１の実施形態の変形例１について図８を参照しながら説明する。図８は、第１の実施形態の変形例１に係る端末装置において利用制限解除に関連した箇所の構成を示すブロック図である。図８を図２（第１の実施形態）と比較すると分かるように、図８では、利用制限解除部３１が、第１／第２の利用制限解除Ｃ４（図２）の代わりに、第１／第２の期間の利用制限解除Ｃ９の信号を出力している。
【００５７】
第１の実施形態の利用制限解除部（図２の１６）は、利用制限を解除する内容を、第１の利用制限解除と第２の利用制限解除とで切り替えていた。一方、第１の実施形態の変形例１では、利用制限を解除する期間を第１の期間と第２の期間とで切り替えている。具体的には、接触対象物判定部１４で導電性の接触対象物９１が使用されたと判定された場合には、第１の期間だけ利用制限を解除し、接触対象物判定部１４で非導電性の接触対象物９２が使用されたと判定された場合には、第２の期間だけ利用制限を解除する。
【００５８】
第１の実施形態の変形例１によれば、例えば、第２の期間を第１の期間より長く設定する。それにより、指９１でパスワードを入力した場合には短い期間（第１の期間）だけの利用しか許可されず、第３者にパスワードを推測され、指９１でパスワードが入力されても、短い期間しか利用できないため、セキュリティを確保することができる。一方、ＮＦＣ（Ｎｅａｒ  Ｆｉｅｌｄ  Ｃｏｍｍｕｎｉｃａｔｉｏｎ）での精算利用やメール着信の確認などの短時間の利用では、ユーザは、第１の期間で利用制限を解除して利用した後、すぐに利用制限の状態に戻すことができる。一方、ペン９２によるパスワード入力は、長時間の利用制限解除がなされるが、前述したように、第３者により行われない可能性が高く、セキュリティを確保することができる。
【００５９】
さらに、第１の実施形態の変形例１では、実施例１に比べて、利用制限解除の期間を限定することにより消費電力の削減も図ることができる。尚、ある機能を実行している間は、利用制限の解除期間が過ぎてもその機能の実行が終了するまでは実行を許可するようにしてもよい。
【００６０】
（第１の実施形態の変形例２）
次に、第１の実施形態の変形例２について図９を参照しながら説明する。図９は、第１の実施形態の変形例２に係る端末装置において利用制限解除に関連した箇所の構成を示すブロック図である。図９を図２（第１の実施形態）と比較すると分かるように、図９では、利用制限解除部３２が、第１／第２の利用制限解除Ｃ４に加えて、第１／第２の機能の起動Ｃ６の信号を出力している。
【００６１】
図９に示すように、第１の利用制限解除に連動して第１の機能が起動され、第２の利用制限解除に連動して第２の機能が起動される。上記第１及び第２の機能は、予めユーザが設定しておく。例えば、第１の機能を電子メールのアプリケーションとし、第２の機能をペン９２で手書き入力するメモ帳のアプリケーションとして登録することができる。
【００６２】
第１の実施形態の変形例２によれば、パスワードを入力する際の接触対象物を変えるだけで、異なる利用制限解除を行うと共に、登録した機能を即座に起動させることができるという効果が得られる。
【００６３】
（第１の実施形態の変形例３）
次に、第１の実施形態の変形例３について図１０を参照しながら説明する。図１０は、第１の実施形態の変形例３に係る端末装置において利用制限解除に関連した箇所の構成を示すブロック図である。図１０を図２（第１の実施形態）と比較すると分かるように、図１０では、利用制限解除部３３が、「所定のアプリケーションの一部機能／第２の利用制限解除」Ｃ７の信号を出力している。
【００６４】
即ち、第１の実施形態の変形例３の利用制限解除部３３では、指（導電性の接触対象物）９１で、パスワード入力を行い、パスワードＣ０と一致した場合には、利用制限解除は行わずに、予め設定した所定の動作を一時的に実行するようにしている。
【００６５】
上記の所定の動作は、図１０に示すように所定のアプリケーションの一部機能としてもよい。所定のアプリケーションの一部機能としては、例えば、電子メールの受信内容の概要を表示する機能としてもよい。具体的には、指９１でパスワードが入力され、パスワードＣ０と一致した場合には、所定のアプリケーションの一部機能を起動する信号Ｃ７を制御部２に送信し、制御部２は電子メールアプリケーションに対して、「送信者、件名、最初の３行」のように電子メールの内容の一部を表示する動作を実行するようにする。
【００６６】
第１の実施形態の変形例３によれば、指（導電性の接触対象物）９１によるパスワードの入力の場合には利用制限の解除を行わずに、所定の一部機能により情報の確認（例えば、上記した電子メールの概要の表示等）のみを行うようにし、それにより高いセキュリティの確保と、簡単操作での情報確認とを両立させることができる。
【００６７】
（第１の実施形態の変形例４）
次に、第１の実施形態の変形例４について図１１を参照しながら説明する。図１１は、第１の実施形態の変形例４に係る端末装置において利用制限解除に関連した箇所の構成を示すブロック図である。図１１において、パスワードによる認証がなされていない状態で、タッチパネル部１０でペン（非導電性の接触対象物）９２で操作入力がなされた場合を想定している。この場合に、第１の実施形態の変形例４では、予め設定した所定の動作を実行するようにしている。例えば、図１１に示すように、ペン９２でなされた操作入力があった場合、接触対象物判定部１４はアプリケーション起動部３４に対し、ペン（非導電性の接触対象物）９２で操作入力があったことを信号Ｃ３により知らせる。アプリケーション起動部３４は、信号Ｃ３に応答して制御部２に対して予め設定したアプリケーション（メモ帳や電子メールなど）を起動する信号を送信し、制御部２はそのアプリケーションを起動する。さらに、タッチパネル部１０における操作入力は、上記アプリケーションに対する手書き入力としても供給される。
【００６８】
起動したアプリケーションがメモ帳の場合には、供給された手書き入力のデータがテキストデータに変換されて保存される。また、起動したアプリケーションが電子メールの場合には、供給された手書き入力がテキストデータに変換され、変換されたテキストデータで電子メールが所定の送信先に送信される。
【００６９】
尚、タッチパネル部１０での操作入力が手書き入力して使用される場合は、第１及び第２の検出部２１、２２は、文字コードを出力するのではなく、第１及び第２のタッチパネル１１、１２が出力する座標データをそのまま供給する。
【００７０】
第１の実施形態の変形例４によれば、パスワードによる利用制限の解除を行わない場合であっても、ペン（非導電性の接触対象物）９２でタッチパネル部１０を操作することにより、高いセキュリティを保持したまま、ユーザの意図した動作を実行させることができる。特に、ペン９２によるタッチパネル部１０の操作入力を予め設定したアプリケーションの手書き入力として使用すると、高いセキュリティを保持したまま、使用頻度の高い電子メールやメモ帳の機能を使用することができる。
【００７１】
（第１の実施形態の変形例５）
次に、第１の実施形態の変形例５について図１２を参照しながら説明する。図１２は、第１の実施形態の変形例５に係る端末装置において利用制限解除に関連した箇所の構成を示すブロック図である。第１の実施形態の変形例４では、パスワードによる利用制限の解除が行われていない状態で、ペン９２による操作入力により所定のアプリケーションを起動していたが、第１の実施形態の変形例５は、パスワードによる利用制限の解除が行われていない状態で、タッチパネル部１０でペン９２によるジェスチャ入力を行うことにより、複数のアプリケーションを選択して起動するようにしている。
【００７２】
図１２に示すように、ジェスチャ入力判定部３５は、第１の実施形態の変形例４と同じように第１及び第２のタッチパネル１１、１２が出力する座標データを用いて、ユーザがペン９２で入力するジェスチャを判定する。アプリケーション登録部５５には、予め複数のジェスチャに応答して起動するアプリケーション又は機能を登録しておく。アプリケーション起動部４５は、信号Ｃ３が非導電性の接触対象物９２である場合に、ジェスチャ入力判定部３５によって判定されたジェスチャに対応したアプリケーション又は機能をアプリケーション登録部５５から参照して起動する。
【００７３】
例えば、アプリケーション登録部５５に登録しておくアプリケーションや機能として、音楽再生のアプリケーション、カメラ機能、電話の発信機能などが可能である。
【００７４】
第１の実施形態の変形例５によれば、第１の実施形態の変形例４と同様に、パスワードによる利用制限解除部１６の利用制限の解除を行わない場合であっても、タッチパネル部１０でペン９２によるジェスチャ操作を行うことにより、高いセキュリティを保持したまま、ユーザの意図した動作を実行させることができる。また、第１の実施形態の変形例４に比べると、複数のアプリケーションや機能を動作させることができるという利点がある。
【００７５】
（第１の実施形態の変形例６）
次に、第１の実施形態の変形例６について図１３を参照しながら説明する。図１３は、第１の実施形態の変形例６に係る端末装置において利用制限解除に関連した箇所の構成を示すブロック図である。図１３を図２（第１の実施形態）と比較すると分かるように、図１３では、新たに接触面積判定部３６が追加されている。接触面積判定部３６は、第１及び第２のタッチパネル１１、１２からの出力を直接入力し、ユーザがタッチパネル部１０を操作した際の接触面積を算出し、その接触面積が所定の値より大きいか否かを判定している。そして、所定の値より大きいと判定された場合には、図７に示すユーザにパスワードを入力させる操作画面を、所定の画面に変更するように、制御部２に指示する。接触面積が所定の値より大きい場合には、例えば、ユーザが手袋を付けた状態で操作している場合などが考えられ、パスワード入力時に操作しやすいように、タッチする文字や数字を大きくした画面に変更することが好ましい。
【００７６】
第１の実施形態の変形例６によれば、利用制限解除時の誤操作を防止し、ユーザに快適な操作環境を提供することができる。
【００７７】
（第１の実施形態の変形例７）
次に、第１の実施形態の変形例７について図１４を参照しながら説明する。第１の実施形態の変形例７は、図１４に示すように、利用制限解除部１６と接触対象物判定部１４の処理の順序が、図４（第１の実施形態）と異なっている。図１４は、第１の実施形態の変形例７に係る端末装置における利用制限解除の動作を示すフローチャートである。
【００７８】
図１４において、タッチパネル部１０でユーザがパスワードを押下する（Ｓ２１）。
【００７９】
次に、接触対象物判定部１４において、第１の検出結果Ｃ１と第２の検出結果Ｃ２に差があるか否かを検出する（Ｓ２２）。具体的には、第１の検出結果Ｃ１と第２の検出結果Ｃ２に含まれる押下されたことを示す信号が、共通してＨｉｇｈレベルになっているかを検出する。共通してＨｉｇｈレベルになっていると検出された場合（ステップＳ２２で、Ｎｏの場合）には、第１の検出結果Ｃ１と第２の検出結果Ｃ２に差異がないと判定され、導電性の接触対象物９１が使用されたと判断される（Ｓ２３）。次に、第１の検出結果Ｃ１又は第２の検出結果Ｃ２に含まれるパスワードの文字コードがパスワードＣ０と一致するか否かを判定する（Ｓ２４）。ステップＳ２４において、Ｙｅｓと判定された場合には、第１の利用制限解除を行う（Ｓ２５）。また、ステップＳ２４において、Ｎｏと判定された場合には、ステップＳ２１に戻る。
【００８０】
一方、第１の検出結果Ｃ１と第２の検出結果Ｃ２に含まれる押下されたことを示す信号が、共通してＨｉｇｈレベルになっていないと検出された場合（ステップＳ２２で、Ｙｅｓの場合）には、第１の検出結果Ｃ１と第２の検出結果Ｃ２に差異があると判定され、非導電性の接触対象物９２が使用されたと判定される（Ｓ２６）。次に、第１の検出結果Ｃ１又は第２の検出結果Ｃ２に含まれるパスワードの文字コードがパスワードＣ０と一致するか否かを判定する（Ｓ２７）。ステップＳ２７において、Ｙｅｓと判定された場合には、第２の利用制限解除を行う（Ｓ２８）。また、ステップＳ２７において、Ｎｏと判定された場合には、ステップＳ２１に戻る。以上のように、第１の実施形態の変形例７では、接触対象物の導電性／非導電性の判定を行った後、パスワードが一致するか否かの判定を行っている。
【００８１】
以上説明したように、第１の実施形態の変形例７によれば、第１の実施形態に対して、利用制限解除部１６と接触対象物判定部１４における処理の順序が変っているだけであり、第１の実施形態と同様の結果が得られる。
【００８２】
（第２の実施形態）
次に、第２の実施形態について説明する。第１の実施形態は、ユーザがパスワードを入力する際に、導電性／非導電性の接触対象物のどちらで入力したかに応じて、利用制限解除の内容を変えるというものであったが、第２の実施形態では、ユーザが操作入力する際に使用する接触対象物を指定し、ユーザが使用した接触対象物と指定された接触対象物とが一致した場合にのみ、該操作入力を受け付けるというものである。図１６は、第２の実施形態に係る端末装置１０１において操作入力許可に関連した箇所の構成を示すブロック図である。図１６を図２（第１の実施形態）と比較すると分かるように、図１６では、図２の利用制限解除部１６に代わって、操作入力許可部１７が設けられている。尚、第１の実施形態の第１及び第２の検出部（２１、２２）では、第１及び第２のタッチパネル（１１、１２）が出力した押下された座標を、文字コードに変換していたが、図１６に示す第２の実施形態では、文字コードへの変換は行わずに、押下された座標をそのまま出力している。
【００８３】
図１６に示すように、操作入力許可部１７には、接触対象物判定部１４から、使用された接触対象物の導電性／非導電性Ｃ３の信号と、制御部２から、指定された接触対象物の導電性／非導電性Ｃ５の信号とが入力され、信号Ｃ３と信号Ｃ５が一致するか否かを判定する。両者が一致した場合には、入力された操作入力を受け付けて、その後、該操作入力に対応した動作が実施される。一方、一致しなかった場合には、入力された操作入力は受け付けられず、何も動作は実行されない。尚、第２の実施形態に係る端末装置（図３の１０１）における上記以外の構成要素は、第１の実施形態に係る端末装置１と同じであるため、同じ参照符号を付して重複する説明は省略する。
【００８４】
次に、第２の実施形態に係る端末装置１０１の動作について、図１７を参照しながら詳細に説明する。図１７は、端末装置１０１の動作を示すフローチャートである。端末装置１０１において、表示部１３に、アプリ画面（インストールしたアプリケーションのアイコンが一覧表示された画面）が表示され、ユーザからの操作入力待ちの状態であるとする。
【００８５】
図１７において、予め、端末装置１０１の制御部２が、操作入力をペン（非導電性の接触対象物）９２に指定した場合を想定する（Ｓ１１）。次に、第１及び第２の検出部（２１、２２）は、ユーザからの操作入力があるか否かを判定する（Ｓ１２）。操作入力が検出された場合（ステップＳ１２でＹｅｓの場合）は、次に、第１の検出結果Ｃ１と第２の検出結果Ｃ２に差があるか否かを判定する（Ｓ１３）。検出結果に差がない場合（ステップＳ１３でＮｏの場合）には、使用された接触対象物が導電性の接触対象物９１であると判定する（Ｓ１４）。一方、検出結果に差がある場合（ステップＳ１３でＹｅｓの場合）には、使用された接触対象物が非導電性の接触対象物９２であると判定する（Ｓ１５）。
【００８６】
次に、ステップＳ１４又はＳ１５で判定された、使用された接触対象物と、ステップＳ１１で指定された接触対象物が一致するか否かを判定する（Ｓ１６）。一致したと判定された場合（ステップＳ１６でＹｅｓの場合）、ステップＳ１２におけるユーザの操作入力を受け付ける（Ｓ１７）。一方、一致しないと判定された場合（ステップＳ１６でＮｏと判定された場合）は、操作入力は受け付けられない。
【００８７】
具体的には、ステップＳ１２でユーザが、指（導電性の接触対象物）９１で、あるアプリケーションのアイコンをタップし、アプリケーションを起動しようとした場合、ステップＳ１６において、使用された接触対象物は指（導電性の接触対象物）９１で、指定された接触対象物は非導電性の接触対象物９２であるため、一致しないと判定され、ユーザがアプリケーションのアイコンをタップした操作入力は受け付けられない。
【００８８】
一方、ユーザが、ペン（非導電性の接触対象物）９２で、そのアプリケーションのアイコンをタップした場合には、ステップＳ１６において、一致したと判定され、ユーザがアプリケーションのアイコンをタップした操作入力は受け付けられ、アプリケーションは起動される。
【００８９】
以上説明したように、第２の実施形態の端末装置１０１によれば、操作入力の接触対象物の導電性／非導電性を指定することによって、指定された接触対象物が使用されない場合には、操作入力を受け付けないようにできるため、ユーザ以外の第３者による使用を制限する効果が得られ、セキュリティを高めることができる。
【００９０】
（第２の実施形態の変形例１）
次に、第２の実施形態の変形例１について、図１８を参照しながら詳細に説明する。図１８は、第２の実施形態の変形例１に係る端末装置１０１において操作入力許可に関連した箇所の構成を示すブロック図である。図１８を図１５（第２の実施形態）と比較すると分かるように、図１８では、指定接触対象物切り替え部１８及び接触対象物登録部１９が、新たに追加されている。上記以外の構成要素は第２の実施形態と同様であり、同じ参照符号を付し、重複する説明は省略する。
【００９１】
図１８において、指定接触対象物切り替え部１８は、操作画面により指定された接触対象物の導電性／非導電性の信号Ｃ５を切り替えるようにしている。具体的には、端末装置１０１で使用する全ての操作画面は画面番号で管理され、接触対象物登録部１９には、画面番号毎に、操作入力を許可する接触対象物の導電性／非導電性が登録される。但し、登録されていない画面は、導電性／非導電性を指定せずに、導電性／非導電性に関わらず操作入力を受け付けるようにする。そして、図１８に示すように、制御部２から表示部１３で表示している画面番号が、指定接触対象物切り替え部１８に入力されると、指定接触対象物切り替え部１８は、接触対象物登録部１９を参照し、該画面番号に登録された指定された接触対象物の導電性／非導電性を読み出して、信号Ｃ５とする。
【００９２】
例えば、接触対象物登録部１９において、通常の操作画面は指（導電性の接触対象物）９１を登録し、重要な操作入力を行う操作画面はペン（非導電性の接触対象物）９２を登録する。重要な操作入力を行う操作画面としては、例えば、課金に関わる操作入力、データの削除に関わる操作入力、リセット操作を行う操作入力、最終決定操作を行う操作入力等を登録しておくと有効である。上記のペン９２による操作が必要な場合には、ユーザに対して表示画面でその旨を通知することにより、ユーザにペン９２による操作を要求する。ユーザは、ペン９２による操作が要求された場合は、接触対象物を指９１からペン９２に切り替えて操作入力する。
【００９３】
以上説明したように、第２の実施形態の変形例１では、重要な操作入力を行う際に、指定した接触対象物（例えば、ペン９２）による入力を要求することで、ユーザに対して注意を喚起することになり、ユーザの誤操作を低減させる効果が得られる。また、従来、重要な操作をユーザにさせる場合に、「これでいいですか？Ｙｅｓ／Ｎｏ」という確認のための操作をユーザにさせて、誤操作を低減させることが行われる。一方、第２の実施形態の変形例１によれば、ペン９２による入力を要求することでユーザに注意を喚起することができるので、上記のＹｅｓ／Ｎｏによる確認のための操作をなくして、１回の操作入力で済むようにすることができる。
【００９４】
（第２の実施形態の変形例２）
次に、第２の実施形態の変形例２について、図１９を参照しながら詳細に説明する。図１９は、第２の実施形態の変形例２に係る端末装置１０１において操作入力許可に関連した箇所の構成を示すブロック図である。図１９を図１８（第２の実施形態の変形例１）と比較すると分かるように、図１９では、図１８の接触対象物登録部１９に代わって、接触対象物登録部２９を設けている。接触対象物登録部２９では、操作画面の特定領域を座標範囲で指定し、該特定領域の接触対象物の導電性／非導電性を登録しておく。そして、指定接触対象物切り替え部１８は、タッチパネル部１０から入力座標を取得し、該入力座標が接触対象物登録部２９に登録された特定領域にあるか否かを判定し、特定領域にあると判定された場合には、その特定領域に指定された接触対象物の導電性／非導電性を読み出して、信号Ｃ５として出力する。
【００９５】
接触対象物登録部２９に登録する特定領域として、第２の実施形態の変形例１と同様に、重要な操作入力を画面の特定領域で、ペン９２で入力するように指定する。例えば、課金に関わる操作入力、データの削除に関わる操作入力、リセット操作を行う操作入力、最終決定操作を行う操作入力等を、それぞれ画面の特定領域においてペン９２で入力するように登録しておくと有効である。
【００９６】
以上説明したように、第２の実施形態の変形例２では、第２の実施形態の変形例１と同様に、重要な操作入力を行う際にユーザの誤操作を低減させる効果が得られる。
【００９７】
（第３の実施形態）
次に、第３の実施形態について、図２０を参照しながら詳細に説明する。図２０は、第３の実施形態に係る端末装置１において利用制限解除に関連した箇所の構成を示すブロック図である。第３の実施形態は、第１の実施形態と同様に、ユーザにパスワードを入力させて、端末装置１の利用制限の解除を行っている。但し、第３の実施形態では、パスワード入力の際に、１文字毎に使用する接触対象物の導電性／非導電性を指定するようにした点が異なっている。
【００９８】
図２０では、図２の利用制限解除部１６に代わって、利用制限解除部４６が設けられている。利用制限解除部４６には、接触対象物判定部１４から、１文字毎に使用された接触対象物の導電性／非導電性Ｃ３の信号と、予め設定されたパスワードＣ８が入力される。但し、パスワードＣ８は、１文字毎に指／ペンの指定がなされたパスワードである。そして、利用制限解除部４６では、第１及び第２の検出結果Ｃ１、Ｃ２とパスワードＣ８の内容が一致し、且つ、１文字毎に使用された接触対象物の導電性／非導電性Ｃ３の信号と、１文字毎に指定されたパスワードＣ８の接触対象物の導電性／非導電性とが、全ての文字で一致した場合にのみ、利用制限解除部４６は、利用制限を解除するＣ１０の信号を制御部２に送信する。制御部２は、所定の利用制限の解除を行う。
【００９９】
次に、具体例で、第３の実施形態の動作を説明する。パスワードＣ８が、「１２３４５」で、「１」「３」「５」が指（導電性の接触対象物）９１、「２」「４」がペン（非導電性の接触対象物）９２に、予め設定されているものとする。図７（Ａ）のロック解除画面のパスワード入力領域９３に、ユーザが、パスワード「１２３４５」を、指９１→ペン９２→指９１→ペン９２→指９１の順に切り替えながら入力した場合に、図２０の利用制限解除部４６で、パスワードの内容と、全ての文字について、接触対象物の導電性／非導電性が一致したと判定され、利用制限解除が行われる。それ以外の場合には、パスワードの内容が一致していたとしても、１文字毎に指定された接触対象物で入力しなかった場合には、ロック解除画面は解除されない。
【０１００】
以上説明したように、第３の実施形態に係る端末装置によれば、パスワードの内容が漏洩したり、推測されたりしても、使用される接触対象物の組み合わせが一致しないと解除されないため、セキュリティを高めることが可能である。
【０１０１】
（第４の実施形態）
次に、第４の実施形態について、図２１を参照しながら説明する。第４の実施形態は、第１〜第３の実施形態のタッチパネル部１０のうち、第２のタッチパネルを、フォトセンサ方式のタッチパネルとして、表示部に内蔵したものを使用している。図２１に示すように、フォトセンサ方式のタッチパネルを内蔵した表示部１０３は、アクティブマトリックス方式の液晶パネルにおいて、所定の間隔でフォトセンサを配置したものである。このように、フォトセンサを液晶パネルに内蔵する方式は、例えば、特許文献３に開示されている。
【０１０２】
フォトセンサ方式のタッチパネルを内蔵した表示部１０３は、抵抗膜方式のタッチパネル１２と同様に、接触対象物の導電性／非導電性に関わらず検出するタッチパネルとして動作をする。従って、第１〜第３の各実施形態におけるタッチパネル部１０と表示部１３とを、図２１に示す静電容量方式タッチパネル１１とフォトセンサ方式のタッチパネルを内蔵した表示部１０３とに置き換えても、同様に動作する。
【０１０３】
以上説明したように、第４の実施形態に係る端末装置によれば、第１〜第３の各実施形態と同様の効果が得られる。また、第４の実施形態では、第２のタッチパネルをフォトセンサ方式として、表示部に内蔵することで端末装置を小型化できるという利点がある。
【０１０４】
また、本発明において、第１のタッチパネル、第２のタッチパネルは、それぞれ静電容量方式のタッチパネル、抵抗膜方式のタッチパネルに限定されない。即ち、第４の実施形態で示したように、第１のタッチパネルは、導電性の接触対象物を検出し、非導電性の接触対象物を検出するタッチパネルで、第２のタッチパネルは、接触対象物を導電性／非導電性に関わらず検出するタッチパネルであれば、それぞれ任意の方式のタッチパネルが適用可能である。
【０１０５】
尚、各実施形態における各々の処理は、制御部２が備えたＣＰＵによって呼び出され実行される。これらのプログラムは、ネットワークを介してダウンロードするか、或いは、プログラムを記憶した記憶媒体を用いて、更新することができる。
【０１０６】
各実施形態の一部又は全部は、以下の付記のようにも記載されうるが、以下には限られない。
【０１０７】
（付記１）導電性の接触対象物を検出し、非導電性の接触対象物を検出しない第１のタッチパネルと、接触対象物を導電性／非導電性に関わらず検出する第２のタッチパネルと、を互いに重ねて配置したタッチパネル部と、
画面表示を行う表示部と、
前記第１のタッチパネルによる第１の検出結果と前記第２のタッチパネルによる第２の検出結果に差異がない場合に、導電性の接触対象物が使用されたと判定し、前記第１の検出結果と前記第２の検出結果に差異がある場合に、非導電性の接触対象物が使用されたと判定する接触対象物判定部と、
認証の処理の際に、前記接触対象物判定部により導電性の接触対象物が使用されたことを認証の成立の条件として、第１の利用制限解除を行い、前記接触対象物判定部により非導電性の接触対象物が使用されたことを認証の成立の条件として、第２の利用制限解除を行う利用制限解除部と、
を備えたことを特徴とする端末装置。
【０１０８】
（付記２）前記第１のタッチパネルは、静電容量方式のタッチパネルであり、
前記第２のタッチパネルは、抵抗膜方式のタッチパネルであることを特徴とする付記１に記載の端末装置。
【０１０９】
（付記３）前記第１のタッチパネルは、静電容量方式のタッチパネルであり、
前記第２のタッチパネルは、前記表示部に内蔵されたフォトセンサ方式のタッチパネルであり、
前記表示部が、前記第１のタッチパネルの下部に重ねて配置された、ことを特徴とする付記１に記載の端末装置。
【０１１０】
（付記４）前記利用制限解除部において、前記第１及び第２の利用制限解除のうち、少なくとも一方は利用制限解除を行わないことを特徴とする付記１乃至３のいずれか一に記載の端末装置。
【０１１１】
（付記５）前記利用制限解除部において、前記第１及び第２の利用制限解除のうち、少なくとも一方は全ての利用制限解除を行うことを特徴とする付記１乃至４のいずれか一に記載の端末装置。
【０１１２】
（付記６）前記利用制限解除部における前記第１の利用制限解除は、第１の期間だけ行われる利用制限の解除であり、前記第２の利用制限解除は、前記第１の期間と異なる第２の期間だけ行われる利用制限の解除であることを特徴とする付記１乃至３のいずれか一に記載の端末装置。
【０１１３】
（付記７）前記利用制限解除部において、前記第１及び第２の利用制限解除に連動して、それぞれ所定の機能を起動することを特徴とする付記１乃至６のいずれか一に記載の端末装置。
【０１１４】
（付記８）
前記利用制限解除部において、前記第１及び第２の利用制限解除のうち、少なくとも一方は、利用制限解除を行わずに、予め設定した所定の動作を一時的に実行することを特徴とする付記４に記載の端末装置。
【０１１５】
（付記９）前記所定の動作は、所定のアプリケーションの一部の機能であることを特徴とする付記８に記載の端末装置。
【０１１６】
（付記１０）前記所定の動作は、電子メールの受信内容の概要を表示する機能であることを特徴とする付記９に記載の端末装置。
【０１１７】
（付記１１）前記認証の処理がなされていない状態で、非導電性の接触対象物による操作入力が行われ、前記接触対象物判定部で非導電性の接触対象物が使用されたと判定された場合には、予め設定した所定の動作を実行することを特徴とする付記１乃至１０のいずれか一に記載の端末装置。
【０１１８】
（付記１２）前記所定の動作は所定のアプリケーションの動作であり、
前記非導電性の接触対象物による操作入力は、前記所定のアプリケーションに対する手書き入力として、使用されることを特徴とする付記１１に記載の端末装置。
【０１１９】
（付記１３）前記所定のアプリケーションは電子メールであり、前記手書き入力として入力された内容を所定の送信先に送信することを特徴とする付記１２に記載の端末装置。
【０１２０】
（付記１４）非導電性の接触対象物による前記操作入力をジェスチャ入力として受け付けて、前記ジェスチャ入力を認識し、予め複数のジェスチャ入力毎に登録した機能のうち、該認識されたジェスチャ入力に対応する機能を実行することを特徴とする付記１１に記載の端末装置。
【０１２１】
（付記１５）前記機能が、音楽再生機能であることを特徴とする付記１４に記載の端末装置。
【０１２２】
（付記１６）前記機能が、カメラ機能であることを特徴とする付記１４に記載の端末装置。
【０１２３】
（付記１７）前記機能が、電話の発信機能であることを特徴とする付記１４に記載の端末装置。
【０１２４】
（付記１８）前記タッチパネル部で操作入力がなされた際の接触点の面積が、所定の値よりも大きいか否かを判定する接触面積判定部を更に備え、
前記タッチパネル部で操作入力がなされ、前記接触面積判定部で前記接触点の面積が前記所定の値よりも大きいと判定された場合には、前記認証の処理を行う操作画面を所定の操作画面に変更すること、を特徴とする付記１乃至１７のいずれか一に記載の端末装置。
【０１２５】
（付記１９）導電性の接触対象物を検出し、非導電性の接触対象物を検出しない第１のタッチパネルと、接触対象物を導電性／非導電性に関わらず検出する第２のタッチパネルと、を互いに重ねて配置したタッチパネル部と、
画面表示を行う表示部と、
前記第１のタッチパネルによる第１の検出結果と前記第２のタッチパネルによる第２の検出結果に差異がない場合に、導電性の接触対象物が使用されたと判定し、前記第１の検出結果と前記第２の検出結果に差異がある場合に、非導電性の接触対象物が使用されたと判定する接触対象物判定部と、
使用すべき接触対象物の導電性／非導電性がいずれかに指定され、前記指定された導電性／非導電性の接触対象物により操作入力がなされた場合に、前記操作入力を受け付ける操作入力許可部と、
を備え、
前記タッチパネル部で操作入力がなされ、
前記接触対象物判定部で使用された接触対象物の導電性／非導電性が判定され、
前記操作入力許可部において、前記使用された接触対象物の導電性／非導電性と前記指定された接触対象物の導電性／非導電性とが一致した場合に、前記操作入力許可部は前記操作入力を受け付ける、ことを特徴とする端末装置。
【０１２６】
（付記２０）前記第１のタッチパネルは、静電容量方式のタッチパネルであり、
前記第２のタッチパネルは、抵抗膜方式のタッチパネルであることを特徴とする付記１９に記載の端末装置。
【０１２７】
（付記２１）前記第１のタッチパネルは、静電容量方式のタッチパネルであり、
前記第２のタッチパネルは、前記表示部に内蔵されたフォトセンサ方式のタッチパネルであり、
前記表示部が、前記第１のタッチパネルの下部に重ねて配置された、ことを特徴とする付記１９に記載の端末装置。
【０１２８】
（付記２２）課金に関わる操作入力をユーザに要求する場合に、前記使用すべき接触対象物の導電性／非導電性をいずれかに指定することを特徴とする付記１９乃至２１のいずれか一に記載の端末装置。
【０１２９】
（付記２３）データの削除に関わる操作入力をユーザに要求する場合に、前記使用すべき接触対象物の導電性／非導電性をいずれかに指定することを特徴とする付記１９乃至２１のいずれか一に記載の端末装置。
【０１３０】
（付記２４）リセット操作をユーザに要求する場合に、前記使用すべき接触対象物の導電性／非導電性をいずれかに指定することを特徴とする付記１９乃至２１のいずれか一に記載の端末装置。
【０１３１】
（付記２５）最終決定操作をユーザに要求する場合に、前記使用すべき接触対象物の導電性／非導電性をいずれかに指定することを特徴とする付記１９乃至２１のいずれか一に記載の端末装置。
【０１３２】
（付記２６）前記タッチパネル部の特定領域において、前記使用すべき接触対象物の導電性／非導電性が指定されることを特徴とする付記１９乃至２５のいずれか一に記載の端末装置。
【０１３３】
（付記２７）導電性の接触対象物を検出し、非導電性の接触対象物を検出しない第１のタッチパネルと、接触対象物を導電性／非導電性に関わらず検出する第２のタッチパネルと、を互いに重ねて配置したタッチパネル部と、
画面表示を行う表示部と、
前記第１のタッチパネルによる第１の検出結果と前記第２のタッチパネルによる第２の検出結果に差異がない場合に、導電性の接触対象物が使用されたと判定し、前記第１の検出結果と前記第２の検出結果に差異がある場合に、非導電性の接触対象物が使用されたと判定する接触対象物判定部と、
パスワードが、１文字毎に使用すべき接触対象物の導電性／非導電性と共に予め設定され、
前記パスワードが前記タッチパネル部で入力され、前記接触対象物判定部で１文字毎に使用された接触対象物の導電性／非導電性が判定され、前記使用された接触対象物の導電性／非導電性と、設定された前記使用すべき接触対象物の導電性／非導電性とが、全ての文字で一致した場合に、所定の利用制限解除を行う利用制限解除部と、
を備えたことを特徴とする端末装置。
【０１３４】
（付記２８）前記第１のタッチパネルは、静電容量方式のタッチパネルであり、
前記第２のタッチパネルは、抵抗膜方式のタッチパネルであることを特徴とする付記２７に記載の端末装置。
【０１３５】
（付記２９）前記第１のタッチパネルは、静電容量方式のタッチパネルであり、
前記第２のタッチパネルは、前記表示部に内蔵されたフォトセンサ方式のタッチパネルであり、
前記表示部が、前記第１のタッチパネルの下部に配置された、ことを特徴とする付記２７に記載の端末装置。
【０１３６】
（付記３０）導電性の接触対象物を検出し、非導電性の接触対象物を検出しない第１のタッチパネルと、接触対象物を導電性／非導電性に関わらず検出する第２のタッチパネルと、を互いに重ねて配置したタッチパネル部を有する端末装置の制御方法であって、
前記タッチパネル部において、認証の処理を行うステップと、
前記認証の処理が行われる際の前記第１のタッチパネルによる第１の検出結果と前記第２のタッチパネルによる第２の検出結果に差異がない場合に、導電性の接触対象物が使用されたと判定し、前記第１の検出結果と前記第２の検出結果に差異がある場合に、非導電性の接触対象物が使用されたと判定する判定ステップと、
前記判定ステップで、導電性の接触対象物が使用されたと判定された場合には、第１の利用制限解除を行い、非導電性の接触対象物が使用されたと判定された場合には、前記第１の利用制限解除と異なる第２の利用制限解除を行うステップと、
を含む端末装置の制御方法。
【０１３７】
（付記３１）導電性の接触対象物を検出し、非導電性の接触対象物を検出しない第１のタッチパネルと、接触対象物を導電性／非導電性に関わらず検出する第２のタッチパネルと、を互いに重ねて配置したタッチパネル部を有する端末装置の制御方法であって、
使用すべき接触対象物の導電性／非導電性を指定する接触対象物指定ステップと、
操作入力がなされた際の前記第１のタッチパネルによる第１の検出結果と前記第２のタッチパネルによる第２の検出結果に差異がない場合に、導電性の接触対象物が使用されたと判定し、前記第１の検出結果と前記第２の検出結果に差異がある場合に、非導電性の接触対象物が使用されたと判定する判定ステップと、
前記判定ステップで判定された接触対象物の導電性／非導電性と、前記接触対象物指定ステップで指定された接触対象物の導電性／非導電性とが一致した場合に、前記操作入力を受け付けるステップと、
を含む端末装置の制御方法。
【産業上の利用可能性】
【０１３８】
本発明は、タッチパネルを有する端末装置全般、例えば、携帯電話、スマートフォン、ゲーム機、タブレット型ＰＣ（Ｐｅｒｓｏｎａｌ  Ｃｏｍｐｕｔｅｒ）、ノート型ＰＣ、ＰＤＡ（Ｐｅｒｓｏｎａｌ  Ｄａｔａ  Ａｓｓｉｓｔａｎｔｓ；携帯情報端末）、ディスクトップ型ＰＣ、銀行ＡＴＭ、キオスク端末などに適用可能である。
【０１３９】
なお、本発明の全開示（請求の範囲及び図面を含む）の枠内において、さらにその基本的技術思想に基づいて、実施形態の変更・調整が可能である。また、本発明の請求の範囲の枠内において種々の開示要素（各請求項の各要素、各実施形態の各要素、各図面の各要素等を含む）の多様な組み合わせないし選択が可能である。すなわち、本発明は、請求の範囲及び図面を含む全開示、技術的思想にしたがって当業者であればなし得るであろう各種変形、修正を含むことは勿論である。
【符号の説明】
【０１４０】
１、１０１：端末装置
２：制御部
３：記憶部
４；送受信部
５：音声処理部
６：マイク
７：スピーカ
８：表示制御部
９：タッチパネル制御部
１０：タッチパネル部
１１：静電容量方式タッチパネル（第１のタッチパネル）
１２：抵抗膜方式タッチパネル（第２のタッチパネル）
１３：表示部
１４：接触対象物判定部
１５：入力操作面
１６、３１、３２、３３、４６：利用制限解除部
１７：操作入力許可部
１８：指定接触対象物切り替え部
１９、２９：接触対象物登録部
２１：第１の検出部
２２：第２の検出部
３４、４５：アプリケーション起動部
３５：ジェスチャ入力判定部
３６：接触面積判定部
５５：アプリケーション登録部
９１：指（導電性の接触対象物）
９２：ペン（非導電性の接触対象物）
９３：パスワード入力領域
９４：パターン入力領域
１０３：フォトセンサ方式のタッチパネルを内蔵した表示部
Ｃ０：（設定された同一の）パスワード（認証コード）
Ｃ１：第１の検出結果
Ｃ２：第２の検出結果
Ｃ３：使用された接触対象物の導電性／非導電性
Ｃ４：第１／第２の利用制限解除
Ｃ５：指定された接触対象物の導電性／非導電性
Ｃ６：第１／第２の機能を起動
Ｃ７：所定のアプリケーションの一部機能／第２の利用制限解除
Ｃ８：パスワード（１入力毎の指／ペンの指定あり）
Ｃ９：第１／第２の期間の利用制限解除
Ｃ１０：利用制限解除する／解除しない
Ｃ１１：画面表示データ
【図１】
2013232033.tif 000003
【図２】
2013232033.tif 000004
【図３】
2013232033.tif 000005
【図４】
2013232033.tif 000006
【図５】
2013232033.tif 000007
【図６】
2013232033.tif 000008
【図７】
2013232033.tif 000009
【図８】
2013232033.tif 000010
【図９】
2013232033.tif 000011
【図１０】
2013232033.tif 000012
【図１１】
2013232033.tif 000013
【図１２】
2013232033.tif 000014
【図１３】
2013232033.tif 000015
【図１４】
2013232033.tif 000016
【図１５】
2013232033.tif 000017
【図１６】
2013232033.tif 000018
【図１７】
2013232033.tif 000019
【図１８】
2013232033.tif 000020
【図１９】
2013232033.tif 000021
【図２０】
2013232033.tif 000022
【図２１】
2013232033.tif 000023